(57)【要約】【課題】  人体の多部位を広範囲にわたって円滑に移動させることができ、しかも低入力エネルギーで効率よく強い吸引力が得られる吸引ノズル及び吸引装置を提供することを目的とする。【解決手段】  周側壁に取り囲まれた導水部と、前記周側壁の一端側に設けられた吐水口と、前記導水部に水を導入する入水部であって、前記周側壁に沿って流れ前記吐水口から外部に放出される水流を形成可能とした入水部と、前記周側壁の他端側に設けられ前記導水部から水を吸引する吸入口と、を備えたことを特徴とする吸引ノズルを提供する。【選択図】  図１
2005137463.tif 000002
【特許請求の範囲】
【請求項１】
周側壁に取り囲まれた導水部と、
前記周側壁の一端側に設けられた吐水口と、
前記導水部に水を導入する入水部であって、前記周側壁に沿って流れ前記吐水口から外部に放出される水流を形成可能とした入水部と、
前記周側壁の他端側に設けられ前記導水部から水を吸引する吸入口と、
を備えたことを特徴とする吸引ノズル。
【請求項２】
前記吐水口を被処理部位にあてがった状態において、前記吐水口と前記非処理部位との間に、前記吐水口から外部に放出される前記水流により形成される水膜が介在することを特徴とする請求項１記載の吸引ノズル。
【請求項３】
水中で前記吐水口を被処理部位にあてがった状態において、前記吐水口と前記非処理部位との間に、吸引ノズルの周囲から前記吸入口に吸引される水の水流により形成される水膜が介在することを特徴とする請求項１または２に記載の吸引ノズル。
【請求項４】
前記入水部から前記導水部に導入される水は、前記周側壁を旋回せずに前記吐水口に至ることを特徴とする請求項１〜３のいずれか１つに記載の吸引ノズル。
【請求項５】
前記入水部から前記周側壁の略接線方向に水が導入されることを特徴とする請求項１〜３のいずれか１つに記載の吸引ノズル。
【請求項６】
前記入水部から前記導水部に導入される水は、前記周側壁に沿って旋回する旋回流を形成することを特徴とする請求項１〜３及び５のいずれか１つに記載の吸引ノズル。
【請求項７】
前記入水部は、前記導水部への入水方向に対向する方向から見たときに、前記旋回流の旋回軸に対して垂直な方向の幅よりも前記旋回軸に対して平行な方向の幅の方が大なることを特徴とする請求項６記載の吸引ノズル。
【請求項８】
前記導入部への入水方向に対して垂直且つ前記旋回流の旋回軸に対して垂直な方向に沿った前記入水部の幅よりも、前記導入部に対する入水方向に対して垂直且つ前記旋回流の旋回軸に対して平行な方向に沿った前記入水部の幅の方が大なることを特徴とする請求項６記載の吸引ノズル。
【請求項９】
前記周側壁に沿って複数の入水部が設けられたことを特徴とする請求項５〜８のいずれか１つに記載の吸引ノズル。
【請求項１０】
前記吸入口は、前記周側壁の中心軸上に開口してなることを特徴とする請求項１〜９のいずれか１つに記載の吸引ノズル。
【請求項１１】
前記吸入口の開口面積は、前記入水部の開口面積よりも大なることを特徴とする請求項１〜１０のいずれか１つに記載の吸引ノズル。
【請求項１２】
前記吸入口の開口面積は、前記入水部の開口面積以下であることを特徴とする請求項１〜１０のいずれか１つに記載の吸引ノズル。
【請求項１３】
前記導水部は、前記吐水口に向けて拡開してなることを特徴とする請求項１〜１２のいずれか１つに記載の吸引ノズル。
【請求項１４】
前記導水部は、前記吐水口に至るまで内径が略同一の円筒状であることを特徴とする請求項１〜１２のいずれか１つに記載の吸引ノズル。
【請求項１５】
前記吸引ノズルは、前記吐水口を取り囲み且つ前記吐水口よりも突出したガイド部をさらに有し、前記ガイド部の内径は、前記吐水口の口径よりも大なることを特徴とする請求項１〜１４のいずれか１つに記載の吸引ノズル。
【請求項１６】
前記吐水口の開口面積は、前記吸入口の開口面積よりも大なることを特徴とする請求項１〜１５のいずれか１つに記載の吸引ノズル。
【請求項１７】
前記吸入口の周囲を取り囲み前記導水部に突出した筒状体をさらに備えたことを特徴とする請求項１〜１６のいずれか１つに記載の吸引ノズル。
【請求項１８】
前記筒状体は、前記吐水口に向けてその内径が拡大する拡開状に設けられたことを特徴とする請求項１７記載の吸引ノズル。
【請求項１９】
請求項１〜１８のいずれか１つに記載の吸引ノズルと、
前記吸入口を介して水を吸引する吸引手段と、
前記入水部を介して水を導入する送水手段と、
を備えたことを特徴とする吸引装置。
【請求項２０】
前記吸引手段は、循環手段の吸引部であり、
前記送水手段は、前記循環手段の送水部であることを特徴とする請求項１９記載の吸引装置。
【請求項２１】
外筒内に第１の水路と第２の水路とが収容された水配管をさらに備え、
前記第１の水路は、前記吸入口と前記入水部のいずれか一方に接続され、
前記第２の水路は、前記吸入口と前記入水部のいずれか他方に接続されたことを特徴とする請求項１９または２０に記載の吸引装置。
【発明の詳細な説明】
【技術分野】
【０００１】
本発明は、吸引ノズル及び吸引装置に関し、特に、水の吐水流により周囲に水膜を形成し、その内部において水を吸引することにより身体に吸引圧を作用させることができる吸引ノズル及び吸引装置に関する。
【背景技術】
【０００２】
美容や健康増進を目的として身体の皮膚表面をマッサージし、血液の循環を活性化するマッサージ器は、広く用いられている。このような従来のマッサージ器としては、例えば電動式の肩たたき器や腰もみ器、減圧状態にした吸入孔を身体表面に吸着させて使う器具など等が知られている。
【０００３】
特許文献１には、水を用いたマッサージ装置として、人体の一部により塞がれる吸引開口と、浴槽水を内部に引き入れる浴槽水引入口と、内部の浴槽水を外部に排出する浴槽水排出口と、を有するマッサージ用吸引器が開示されている。この吸引器は、吸引開口が人体の一部で塞がれた状態で引入口から吸引して吸引マッサージを行い、排出口からジェット噴流を発生させて人体に噴流マッサージを行うことができる。
【０００４】
また、特許文献２には、気泡噴出口と吸引環とが別々に設けられた浴中吸引噴射マッサージ機が開示されている（特許文献２）。このマッサージ機の場合、気泡噴出口と吸引環とを適宜使い分けることにより、人体に対して気泡噴射と真空吸引のいずれかを適宜実施することができる。
【０００５】
一方、特許文献３には、気液噴出孔から拡開するガイド部が設けられた吸引洗浄器が開示されている。気泡を混入させた液体は、気液噴出孔から噴出しガイド部の内壁面に沿って旋回しながら人体の肌面に衝突し、肌面を広い範囲で吸引させる。
【特許文献１】特開２００１−３７８４０号公報
【特許文献２】実開平１−１５５４３４号公報
【特許文献３】特開２００３−３８３８２号公報
【発明の開示】
【発明が解決しようとする課題】
【０００６】
しかし、特許文献１及び２に開示されている機器の場合、吸入口が人体に吸い付いてしまう。このため、吸引させながら吸引箇所を滑らかに移動させることが容易でなく、多部位を広範囲にわたって円滑にマッサージすることが容易でなかった。
【０００７】
また、特許文献３に開示されているマッサージ機の場合、砲弾状の中空部において微細気泡を含有する旋回流を形成することにより負圧を発生させているため、所定の吸引力を得るためには高い入力エネルギーすなわち高出力のポンプが必要となるという問題がある。
【０００８】
本発明はかかる課題の認識に基づいてなされたものであり、その目的は、人体の多部位を広範囲にわたって円滑に移動させることができ、しかも低入力エネルギーで効率よく強い吸引力が得られる吸引ノズル及び吸引装置を提供することにある。
【課題を解決するための手段】
【０００９】
上記目的を達成するため、本発明の吸引ノズルは、周側壁に取り囲まれた導水部と、前記周側壁の一端側に設けられた吐水口と、前記導水部に水を導入する入水部であって、前記周側壁に沿って流れ前記吐水口から外部に放出される水流を形成可能とした入水部と、前記周側壁の他端側に設けられ前記導水部から水を吸引する吸入口と、を備えたことを特徴とする。
【００１０】
上記構成によれば、人体の多部位を広範囲にわたって円滑に移動させることができ、しかも低入力エネルギーで効率よく強い吸引力が得られる吸引ノズル及び吸引装置を提供することができる。
【００１１】
ここで、前記吐水口を被処理部位にあてがった状態において、前記吐水口と前記非処理部位との間に、前記吐水口から外部に放出される前記水流により形成される水膜が介在するものとすれば、被処理部位は常に水膜により保護された状態になり、吸引させた状態のまま吸引ノズルを滑らかに移動させることができる。その結果として、広範囲の被処理部位をくまなく吸引マッサージすることが可能となる。
【００１２】
また、水中で前記吐水口を被処理部位にあてがった状態において、前記吐水口と前記非処理部位との間に、吸引ノズルの周囲から前記吸入口に吸引される水の水流により形成される水膜が介在するものとすれば、やはり被処理部位は常に水膜により保護された状態になり、吸引させた状態のまま吸引ノズルを滑らかに移動させることができる。その結果として、広範囲の被処理部位をくまなく吸引マッサージすることが可能となる。
【００１３】
また、前記入水部から前記導水部に導入される水は、前記周側壁を旋回せずに前記吐水口に至るものとすることができ、周側壁の接線方向に入水させる必要がないので、ノズルをコンパクトに形成することができる。
【００１４】
一方、前記入水部から前記周側壁の略接線方向に水が導入されるものとすれば、旋回流を形成することが可能となり、吸入口を介した吸引作用に加えて旋回流により生ずる吸引力も併せて得られる。
【００１５】
また、前記入水部から前記導水部に導入される水は、前記周側壁に沿って旋回する旋回流を形成するものとすれば、吸入口を介した吸引作用に加えて旋回流により生ずる吸引力も併せて得られる。またさらに、旋回流を形成することにより、入水部から導入した水がノズル内で吸入口に直接吸引されることによる損失を低減することができる。
【００１６】
また、前記入水部は、前記導水部への入水方向に対向する方向から見たときに、前記旋回流の旋回軸に対して垂直な方向の幅よりも前記旋回軸に対して平行な方向の幅の方が大なるものとすることができる。
【００１７】
入水部を旋回軸の方向に沿って縦長に形成することにより、旋回室に流入する水流を旋回室の内周壁に接近させることができるので、旋回モーメントが増加し、旋回流を十分に発達させることができる。従って、同一の投入パワーまたは同一の流量においても、強い旋回流が得られ、吸引力が増大する。そして、効率良く吸引力を発生させることができるので、給水ポンプを小型化でき、初期コスト、ランニングコストを低下させ、省スペースも実現できる。
【００１８】
または、前記導入部への入水方向に対して垂直且つ前記旋回流の旋回軸に対して垂直な方向に沿った前記入水部の幅よりも、前記導入部に対する入水方向に対して垂直且つ前記旋回流の旋回軸に対して平行な方向に沿った前記入水部の幅の方が大なるものとすることができる。
【００１９】
上記構成によっても、同様に入水部を旋回軸の方向に沿って縦長に形成することにより、旋回室に流入する水流を旋回室の内周壁に接近させることができるので、旋回モーメントが増加し、旋回流を十分に発達させることができる。従って、同一の投入パワーまたは同一の流量においても、強い旋回流が得られ、吸引力が増大する。そして、効率良く吸引力を発生させることができるので、給水ポンプを小型化でき、初期コスト、ランニングコストを低下させ、省スペースも実現できる。
【００２０】
また、前記周側壁に沿って複数の入水部が設けられたものとすれば、合計の入水面積が同一の場合でも、それぞれの入水部の開口の中心位置を旋回流の旋回軸から遠ざかる方向に寄せて配置することができる。このようにすると、効率的に旋回流を形成することができる。また、周側壁の周壁に複数の入水部を均等に配置すると、旋回流の旋回軸を旋回室の中心軸と合致させることができる。
【００２１】
また、前記吸入口は、前記周側壁の中心軸上に開口してなるものとすれば、特に旋回流を形成した場合に、その負圧領域において吸引させることができ、吸引作用を重畳させることができる。
【００２２】
また、前記吸入口の開口面積は、前記入水部の開口面積よりも大なるものとすれば、吸入口におけるキャビテーションを防ぎ、また、大面積を吸引することにより体感的な吸引感を高めることができる。その上、旋回部底面の径方向の寸法を小さくすることができる。よって、使用者が旋回部の底面付近を把持するような場合に、特に有効である。
【００２３】
一方、前記吸入口の開口面積は、前記入水部の開口面積以下であるものとすれば、入水部から導入された水をノズル内で吸入口に直接吸引させる損失を低下することができ、効率をさらに向上させることができる。
【００２４】
また、前記導水部は、前記吐水口に向けて拡開してなるものとすれば、入水部から導入された水は吸入口から遠ざかる方向に放出されるので、ノズル内で吸入口に直接吸引させる損失を低下することができる。また、コンパクトなノズルで大面積を吸引することも可能となる。その上、水の流れをより外側方向に向かせることができるので、効率的に水膜を形成できる。
【００２５】
一方、前記導水部は、前記吐水口に至るまで内径が略同一の円筒状であるものとすれば、旋回流を効率的に発達させ、同時に圧力損失も抑えることができ、効率よく強い吸引力を発生させることが容易となる。また、導水部を円筒状とすることにより、吸引ノズルを樹脂などにより形成する場合の成形プロセスも確実且つ容易に実施できる。
【００２６】
また、前記吸引ノズルは、前記吐水口を取り囲み且つ前記吐水口よりも突出したガイド部をさらに有し、前記ガイド部の内径は、前記吐水口の口径よりも大なるものとすることができる。吐水口からの旋回流の円滑な吐出を維持し、また、ガイド部の内側全体で吸引されるので、より広い面積を吸引することができる。
【００２７】
また、吐水口の開口面積は、前記吸入口の開口面積よりも大なるものとすれば、入水口からみて、吸入口から離れる方向に水を放出させることが容易となり、入水口から入水された水が導水部の中で直接、吸入口に吸い込まれることを防ぎ、損失を抑制できる。そして、吐水口において水膜をより確実に形成することにより、被処理部位の上で吸引ノズルを滑らかに移動させることができる。
【００２８】
また、前記吸入口の周囲を取り囲み前記導水部に突出した筒状体をさらに備えたものとすれば、吸入口により形成される負圧領域を吐水口に近づけることができるので、より強い負圧を吐水口の近傍に及ぼし、被処理部位に効果的に作用させることができる。また同時に入水部から導入された水がノズル内で直接吸引されることによる損失を抑制できる。
【００２９】
また、前記筒状体は、前記吐水口に向けてその内径が拡大する拡開状に設けられたものとすれば、吐水口において、より広い面積に吸引力を及ぼすことが可能となり、また、吸入口に吸い込まれる水流の圧力損失を低減させることも可能である。すなわち、外部から導水部に流入する水流を滑らかに吸入口に流入させることができる。また、広い面積を吸引することにより、被処理部位に与える吸引マッサージ効果を高め、使用者に与える吸引感を増加させることも可能となる。
【００３０】
一方、本発明の吸引装置は、前記のいずれかの吸引ノズルと、前記吸入口を介して水を吸引する吸引手段と、前記入水部を介して水を導入する送水手段と、を備えたことを特徴とする。
【００３１】
上記構成によれば、人体の多部位を広範囲にわたって円滑に移動させることができ、しかも低入力エネルギーで効率よく強い吸引力が得られる吸引ノズル及び吸引装置を提供することができる。
【００３２】
またここで、前記吸引手段は、循環手段の吸引部であり、前記送水手段は、前記循環手段の送水部であるものとすれば、ひとつのポンプで水を循環させることにより効率的に強い吸引力を発生させることができる。
【００３３】
また、外筒内に第１の水路と第２の水路とが収容された水配管をさらに備え、前記第１の水路は、前記吸入口と前記入水部のいずれか一方に接続され、前記第２の水路は、前記吸入口と前記入水部のいずれか他方に接続されたものとすれば、水配管の取り扱いが容易で見栄えもよくなる。このような水配管としては、例えば、第１の水路の水路の回りに第２の水路が略同軸状に形成された水配管であってもよく、または、第１の水路と第２の水路とが並列して外筒内に収容された水配管であってもよい。
【発明の効果】
【００３４】
本発明によれば、人体の多部位を広範囲にわたって円滑に移動させることができ、しかも低入力エネルギーで効率よく強い吸引力が得られる吸引ノズル及び吸引装置を提供することができる。
【発明を実施するための最良の形態】
【００３５】
以下、図面を参照しつつ本発明の実施の形態について説明する。  
図１は、本発明の実施の形態にかかる吸引ノズルを表す模式断面図である。すなわち、本実施形態の吸引ノズル１０は、入水吸入部１と、周側壁８Ｗに取り囲まれた導水部８と、周側壁８Ｗの一端側に設けられた吐水口７と、を有する。入水吸入部１は、水（お湯）を送出する送水手段５０Ａと、水を吸引する吸水手段５０Ｂと、にそれぞれ接続されている。そして、入水吸入部１は、矢印Ａで表したように導水部８の周側壁８Ｗに沿って水（お湯）を放出する入水口と、周側壁８Ｗの他端に設けられ、矢印Ｂで表した方向に水を吸入する吸入口とを有する。なお、後に詳述するように、周側壁８Ｗに沿って流出する水は、吐水口７に向けて最短経路を介して流出する（非旋回流型）ようにしてもよいし、または、周側壁８Ｗに沿って旋回しながら吐水口７に至る（旋回流型）ようにしてもよい。
【００３６】
本実施形態の吸引ノズル１０は、例えば浴槽に溜めた浴槽水の中の如く、水中で用いるのに適している。吸引ノズル１０に水を送出する送水手段５０Ａとしては、例えば、送水ポンプや、水道の圧力を利用した給湯器などを用いることができる。また、吸引ノズル１０から水を吸入する吸水手段５０Ｂとしては、吸水ポンプを用いることができる。  
図２は、ポンプ５０により水を循環させる使用形態を表す模式図である。すなわち、本具体例の場合、吸引ノズル１０の入水吸入部１には、循環手段としてのポンプ５０の取水端と送水端とがそれぞれ接続されている。矢印Ｂで表したように吸引ノズル１０から吸引された水は、ポンプ５０によって、再び吸引ノズル１０に送出して矢印Ａの方向に放出され、浴槽水などを循環させて使用することができる。
【００３７】
図３は、本実施形態の吸引ノズルの使用状態を表す模式図である。すなわち、同図は、使用者が吸引ノズル１０を被処理部位２１０にあてがって吸引マッサージを実施している状態を表す。入水吸入部１から放出された水は、周側壁８Ｗに沿って矢印Ａの方向に流れ、吐水口７から外部に流出する水流Ａ１を形成する。一方、この水流Ａ１とは逆方向の水流Ｂ１が、吐水口７と被処理部位２１０との間において生ずる。この水流Ｂ１は、吸引ノズル１０の中に流入し、矢印Ｂの方向に吸入される。そして、被処理部位２１０は、この水流Ｂ１により矢印Ｂの方向に吸引されマッサージ効果が与えられる。
【００３８】
本発明者が独自に実施した試作測定評価及び計算機による流体シミュレーションによれば、吐水口７の近傍に形成される逆向きの水流Ａ１とＢ１とは、図３に例示した如く、吐水口７の円周に沿って一様に反平行の水流を形成する場合もあり、また、吐水口７の円周に沿って、水流Ａ１のほうが強い部分と、水流Ｂ１のほうが強い部分と、が局所的に形成される場合もあることが分かった。ただし、いずれの場合においても、吐水口７と被処理部位２１０との間には、水流Ａ１及びＢ１の少なくともいずれかが形成され、後述する押圧効果や、保護効果が得られる。
【００３９】
本発明においては上述の如く、吐水口７の先端と被処理部位２１０との間に水流Ａ１、Ｂ１の少なくともいずれかが形成され、これらが水膜を形成する。従って、吐水口７の近傍に被処理部位２１０を近づけると、水流Ａ１、Ｂ１によってドーナツ状に押され、かつその中心部は矢印Ｂの方向に作用する吸引力によって引っ張られる。つまり被処理部位２１０は、吐水口７の周辺における押圧力と、その中央における吸引力とを同時に受け、立体的に変形して効果的な吸引マッサージを受ける。
【００４０】
またさらに、被処理部位２１０は、これら水流Ａ１、Ｂ１により形成される均質な水膜により保護された状態となるので、吸引ノズル１０を被処理部位２１０の上で滑らかに移動させることができる。
【００４１】
ここで、本発明の吸引ノズル１０においては、入水吸入部１において水の放出と吸入とが行われる。従って、仮に、図４に例示した如く、入水吸入部１から放出された水の全てが入水吸入部１にそのまま吸入されると、吸引ノズル１０の中で吸引力は消費されてしまい、被処理部位２１０に対して吸引力は作用しない。
【００４２】
これに対して、本発明においては、入水吸入部１から放出される水が図３に矢印Ａで表した如く周側壁８Ｗに沿った水流を形成するように、水の放出方向や放出位置が設定されている。その結果として、図３に表したように、放出された水はノズル内で吸入されずに吐水口７に達し、水流Ａ１による均質な水膜を形成してノズル外に放出される。なお、水流Ａ１による均質な水膜が形成されるためには、矢印Ａで表されたようにノズル内に放出された水の少なくとも一部がノズル外に放出されればよい。従って、矢印Ａで表されたようにノズル内に放出された水のうちで、ノズル内で矢印Ｂの方向に吸入される成分があってもよい。
【００４３】
なお、後に詳述するように、入水吸入部１から放出される水が、周側壁８Ｗに沿った旋回流を形成するようにした場合（旋回流型）には、さらに効果的にノズル外に放出させることができる。
【００４４】
以下、入水吸入部１から放出される水が旋回せずに周側壁８Ｗに沿って吐水口７から放出される「非旋回流型」の吸引ノズルと、周側壁８Ｗに沿った旋回流を形成して吐水口７から放出される「旋回流型」の吸引ノズルについて、それぞれ具体例を挙げて説明する。
【００４５】
図５は、本発明の実施の形態にかかる「非旋回流型」の吸引ノズルを表す模式断面図である。  
また、図６は、図５のＹ−Ｙ線断面図である。
【００４６】
すなわち、本具体例の吸引ノズルは、略円錐状に拡開した周側壁８Ｗに取り囲まれた導水部８を有する。周側壁８Ｗの一端側には、吐水口７が開口している。一方、周側壁８Ｗの他端側には、導水部８から水を吸引する吸入口３が設けられている。そして、吸入口３を取り囲むように略円周状に開口した入水部６が設けられている。
【００４７】
吸入口３は、図示しない吸水手段に接続され、矢印Ｂで表したように、導水部８の水を吸引する。一方、入水部６は、略円筒状の導入路５Ｂを経て導入路５Ａに連通している。導入路５Ａは、図示しない送水手段に接続され、矢印Ｓの方向に水が供給される。矢印Ｓの方向に供給された水は、入水部６から周側壁８Ｗに沿って矢印Ａの方向に放出される。
【００４８】
図７は、本具体例の吸引ノズルの動作状態を表す模式図である。    
略円環状の入水部６は、ノズルの外周に向けて拡開状に開口している。従って、入水部６から放出された水は、周側壁８Ｗの壁面に沿って矢印Ａの方向に面状の水流を形成する。このため、入水部６から放出された水はノズル内で吸入口３から吸入されることが少なく、吐水口７に達し、水流Ａ１を形成してノズル外に放出される。そして、この水流Ａ１とは逆方向の水流Ｂ１がノズル内に流入し、矢印Ｂに表したように吸入口３から吸入される。
【００４９】
本具体例の吸引ノズルについても、本発明者が独自に実施した試作測定評価及び計算機による流体シミュレーションによれば、吐水口７の近傍に形成される逆向きの水流Ａ１とＢ１とは、図７に例示した如く、吐水口７の円周に沿って一様に反平行の水流を形成する場合もあり、また、吐水口７の円周に沿って、水流Ａ１のほうが強い部分と、水流Ｂ１のほうが強い部分と、が局所的に形成される場合もあることが分かった。ただし、いずれの場合においても、吐水口７と被処理部位２１０との間には、水流Ａ１及びＢ１の少なくともいずれかが形成され、後述する押圧効果や、保護効果が得られる。
【００５０】
被処理部位２１０は、水流Ａ１及びＢ１により形成される水膜によりドーナツ状に押圧され、その中心部は吸入口３に吸引され、立体的に変形して効果的な吸引マッサージを受ける。つまり、被処理部位２１０は、周辺における押圧力とその中央における吸引力とを同時に受ける。また、吐水口７と被処理部位２１０との間には、水流Ａ１及びＢ１により形成される水膜が常に介在しているので、吸引ノズル１０を被処理部位２１０にあてがって吸引させた状態のまま、吸引ノズル１０を滑らかに移動させることができ、被処理部位２１０を広範囲に吸引マッサージすることができる。
【００５１】
なお、本発明の吸引ノズルにおいては、吸入口３よりも吐水口７の面積を大きくすることにより、入水口６からみて、吸入口３から離れる方向（矢印Ａ）に水を放出させることができる。つまり、入水口６から入水された水が、導水部８の中で直接、吸入口３に吸い込まれることを防ぎ、損失を抑制できる。そして、水流Ａ１による水膜をより確実に形成することにより、被処理部位２１０の上で吸引ノズル１０を滑らかに移動させることができる。
【００５２】
図８は、本具体例の吸引ノズルの変型例を表す模式断面図である。すなわち、同図は、図５及び図７と同方向からみた断面図である。  
本変型例の吸引ノズルの場合、導入路５は、吸入口３と同心の円環状の水路により形成されている。すなわち、内側に吸入口３が設けられ、外側に導入路５が設けられた２重管構造とされている。このようにすると、吸引ノズル１０の側面（矢印Ｂに対して垂直な方向）に水配管を接続する必要がなく、サイズをコンパクトにできるという効果が得られる。また、２重配管を介して略円環状の導入路５から入水部６に送水できるので、略円環状の開口を有する入水部６の円周方向にみて均一な水圧で水を放出させることができる。すなわち、周側壁８Ｗの円周方向にみて均一な水流を形成し、吐水口７においても円周方向にみて均一な水流Ａ１を形成することが容易となる。
【００５３】
以上、「非旋回流型」の吸引ノズルについて説明した。
【００５４】
次に、「旋回流型」の吸引ノズルについて説明する。
【００５５】
図９乃至図１１は、本発明の実施の形態にかかる「旋回流型」の吸引ノズルを表す模式図である。すなわち、図９は、吸引ノズル１０の正面図であり、図１０は、図９のＸ−Ｘ線断面図、図１１は、図１０のＹ−Ｙ線断面図である。  
本実施形態の吸引ノズル１０は、旋回部２と接続部４とを有する。旋回部２は、周側壁８Ｗに取り囲まれ断面が略円型である旋回室（導水部）８を有する。周側壁８Ｗの一端は開放され、吐水口７を形成している。また、周側壁８Ｗの他端側の底面８Ｒには吸入口３が設けられている。さらに、周側壁８Ｗには、入水部６が設けられている。入水部６から旋回室８の周側壁８Ｗの略接線方向に水が導入され、周側壁８Ｗに沿った旋回流ＣＦを形成する。一方、吸入口３は、旋回室８の水を吸引し排出する。接続部４には、入水部６へ連通するよう開口された導入路５が設けられている。
【００５６】
旋回流ＣＦを効率的に形成するためには、入水部６は旋回室の周壁８Ｗの接線方向に開口していることが望ましい。ただし、入水部６が、周壁８Ｗに対して正確に接線方向に開口しておらず、その開口方向あるいは開口位置に接線方向からの「ずれ」があるような場合でも、旋回流ＣＦが形成されればよい。
【００５７】
ここで、「入水部６」は、図１１に表したように、旋回室８へ導入される水流の導入方向を実質的に決定する入水路６Ａと、その入水路６Ａの旋回室８における開口端である入水口６Ｂと、を含む。本具体例の吸引ノズル１０の場合には、旋回室８へ導入される水流の導入方向は、矢印Ｓの方向である。従って、入水路６Ａは、矢印Ｓの方向に設けられた水路に対応する。また、入水口６Ｂは、この水路と旋回室８との境界に対応する。
【００５８】
接続部４は、例えば一般のシャワーヘッドのようにネジ等を設けておけば、ホースなどの水配管に連結することができ便利である。後に詳述するように、旋回室８に設けられた吸入口３からの水の吸入排出用の水配管も併せて同軸配管とすると取り扱いやすく外見もすっきりとする。
【００５９】
図１２は、本具体例の吸引ノズル１０における水の流れを表す模式断面図である。  
また、図１３は、この吸引ノズル１０の使用状態を説明するための模式断面図である。  以下、図１２及び図１３を参照しつつ、本具体例の吸引ノズル１０の動作について説明する。
【００６０】
図示しない送水手段から送られた水は、接続部４内の導入路５を通り、旋回部２内の入水部６から旋回室８へと導入される。この際に、入水部６は旋回室８の接線方向に開口されているので、旋回室８内に導入された水は、旋回流ＣＦを形成する。この旋回流ＣＦは、周側壁８Ｗに沿って旋回しながら吐水口７に達し、吐水口７から円錐状の旋回吐水（図中Ａ）となって吐水される。この時、旋回流ＣＦがもつ遠心力によって、旋回室８の中心部に負圧部が生じるため、吐水口７の中心軸に沿って吸引ノズル１０の外から旋回室８の中へ引き込もうとする力（以下、「旋回吸引力」と呼ぶ。）が生じる。
【００６１】
一方、吸入口３には、図示しない吸引手段が接続され、矢印Ｂで表したように水を吸入し排出する。従って、吸入口３に吸引される水流による吸引力（以下、「排出吸引力」と呼ぶ。）が生ずる。
【００６２】
つまり、図１３に表したように、被処理部位２１０には、旋回流ＣＦにより生ずる「旋回吸引力」と、吸入口３により生ずる「排出吸引力」と、が重畳された吸引力Ｃが作用することとなる。その結果として、極めて効率的に大きな吸引力を被処理部位２１０に作用させ、高い吸引マッサージ効果を得ることができる。
【００６３】
また、本具体例の場合、入水部６から旋回室８に導入された水は、旋回流ＣＦを形成するので、その遠心力により周側壁８Ｗに沿った面状の水流を維持したまま吐水口７に達し、外部に放出される。つまり、入水部６から旋回室８に導入された水は、ノズル内で吸入口３に吸入されにくくなり、吸引力の損失を最小限に抑えることができる。
【００６４】
そして、旋回流ＣＦは、吐水口７と被処理部位２１０との間に均質な水流Ａ１を形成し、また一方、これとは逆にノズル外部から吸入口３に流入する水流Ｂ１が形成される。被処理部位２１０は、水流Ａ１及びＢ１により形成される水膜によりドーナツ状に押圧され、中心部は、強い吸引力Ｃにより吸引され、立体的に変形して効果的な吸引マッサージを受ける。つまり、被処理部位２１０は、周辺における押圧力とその中央における強い吸引力とを同時に受ける。またさらに、旋回流ＣＦの旋回成分により、被処理部位２１０に対して「ねじり」を含めた振動が与えられる。これにより、被処理部位２１０は立体的に変形し、且つ振動による「揉みほぐし」の作用を受ける。
【００６５】
また、吐水口７と被処理部位２１０との間には、水流Ａ１及びＢ１により形成される水膜が常に介在しているので、吸引ノズル１０を被処理部位２１０にあてがって吸引させた状態のまま、吸引ノズル１０を滑らかに移動させることができ、被処理部位２１０を広範囲に吸引マッサージすることができる。
【００６６】
なお、本具体例の吸引ノズルについても、本発明者が独自に実施した試作測定評価及び計算機による流体シミュレーションによれば、吐水口７の近傍に形成される逆向きの水流Ａ１とＢ１とは、図１３に例示した如く、吐水口７の円周に沿って一様に反平行の水流を形成する場合もあり、また、吐水口７の円周に沿って、水流Ａ１のほうが強い部分と、水流Ｂ１のほうが強い部分と、が局所的に形成される場合もあることが分かった。本具体例の如く入水口６を一カ所に設けた場合には、吐水口７の円周に沿って水流Ａ１と水流Ｂ１の強度が、分布を有する場合が多いことが分かった。これに対して、後に、図３９を参照しつつ説明するように、入水口６を複数とすると、旋回流の分布が均一化され、水流Ａ１と水流Ｂ１の強度が吐水口７の円周に沿って均一になる傾向がある。ただし、いずれの場合においても、吐水口７と被処理部位２１０との間には、水流Ａ１及びＢ１の少なくともいずれかが形成され、前述した押圧効果や、保護効果が得られる。
【００６７】
なお、本発明においては、このような「旋回流型」の吸引ノズルの場合も、吸入口３よりも吐水口７の面積を大きくすることにより、入水口６から入水された水が導水部８の中で直接、吸入口３に吸い込まれることを防ぎ、損失を抑制できる。そして、水流Ａ１による水膜をより確実に形成することにより、被処理部位２１０の上で吸引ノズル１０を滑らかに移動させることができる。
【００６８】
以下、「旋回流型」の吸引ノズルに関して本発明者が実施した実験の結果について説明する。
【００６９】
図１４は、本発明者が実施した実験の方法を表す模式図である。  
すなわち、ポンプ５０から吸引ノズル１０に送水し、吸引ノズル１０の先端から距離Ｈ３の位置において吸引圧力を測定した。具体的には、吐水口７の正面に小穴３００Ｈが設けられた受圧板３００を配置し、その小穴３００Ｈにおける吸引圧力Ｐ３（負圧となる）をマノメータにより測定した。なお、小穴３００Ｈの開口径は２ｍｍφとし、吐水口７の中心同軸上に小穴３００Ｈが配置されるように受圧板の位置を調整した。なお、吐水口７の周囲には、リング状のガイド部２２を適宜設けた。
【００７０】
また、ポンプ５０から吸引ノズル１０の入水部６に至る送水経路の圧力Ｐ１（正圧となる）と、吸引ノズル１０の吸入口３からポンプに至る吸引経路の圧力Ｐ２（負圧となる）も併せて測定した。その他、吸引ノズル１０の構造パラメータとして、図１４に表したものを以下に列挙する。
Ｈ１    旋回室８の底面８Ｒから吐水口７までの距離
Ｈ２    ガイドリング２２の高さ
Ｈ３    ガイドリング２２の先端から受圧板３００までの距離
ｈ１    旋回室８の底面８Ｒから入水部６の中心までの距離
Ｓ１    入水部６の開口面積
Ｄ１    旋回室８の内径
Ｄ２    吐水口７の開口径
Ｄ３    吸入口３の開口径
Ｄ４    ガイドリング２２の内径
本発明者は、まず、図９乃至図１３に例示した本発明の「旋回流型」の吸引ノズル１０と、比較例として、吸入口３を設けず旋回流ＣＦのみによる旋回吸引力を発生させる吸引ノズルとについて、それぞれ圧力Ｐ１、Ｐ２、Ｐ３を測定した。これら吸引ノズルの構造パラメータは、以下の如くである。
本発明(D-SFT)    比較例(SFT)
Ｈ１（ｍｍ）        ４５                ←
Ｈ２（ｍｍ）        １５                ←
Ｈ３（ｍｍ）          １                ７
ｈ１（ｍｍ）          ８．５            ←
Ｓ１（ｍｍ２）      ８９                ←
Ｄ１（ｍｍφ）  ３０及び４５      ３０及び４５
Ｄ２（ｍｍφ）      ３０                ←
Ｄ３（ｍｍφ）      １０              なし
Ｄ４（ｍｍφ）      ６０                ←
またここで、旋回室８の内径Ｄ１が４５ｍｍφのノズルは、図１４に表したように、吐水口７の近傍に、絞り部９を設けた。つまり、吐水口７に近づくに従って、旋回室８の内径が４５ｍｍφから吐水口７の開口径３０ｍｍφに徐々に近づくように形成した。これに対して、内径Ｄ１が３０ｍｍφのノズルは、図１０などに表したように、略円筒状の旋回室８を有する。
【００７１】
なお、ガイドリング２２の先端から受圧板３００までの距離Ｈ３については、本発明のノズルと比較例のノズルのそれぞれについて、最も強い負圧が得られる距離に設定した。すなわち、本発明のノズル（D-SFT）の場合、距離Ｈ３が１ミリメータにおいて最大の負圧が得られ、一方、比較例（SFT）の場合には距離Ｈ３が７ミリメータにおいて最大の負圧が得られた。
【００７２】
図１５は、これら４種類の吸引ノズルについて吸引圧Ｐ３を測定した結果を表すグラフ図である。すなわち、同図の横軸は、ポンプ５０から送水される水の流量（リッター毎分）を表し、縦軸は吸引圧Ｐ３を表す。  
同図から、本発明の吸引ノズル（D-SFT)は、毎分５リッター程度の流量から吸引圧が急激に立ち上がり、毎分１０リッターにおいて１００００パスカル以上の吸引圧が得られていることが分かる。これに対して、比較例(SFT)の吸引ノズルの吸引圧は、毎分２０リッターにおいて概ね５０００パスカルであり、流量の増加に伴う吸引圧の立ち上がりもやや緩やかであることが分かる。
【００７３】
図１６は、ポンプアップ圧力と吸引圧Ｐ３との関係を表すグラフ図である。すなわち、同図の横軸はポンプアップ圧力を表し、縦軸は吸引圧Ｐ３を表す。ここで、ポンプアップ圧力は、送水経路の圧力Ｐ１（正圧）の絶対値と、吸引経路の圧力Ｐ２（負圧）の絶対値とを合計した値であり、次式により表される。
ポンプアップ圧力＝|Ｐ１|＋|Ｐ２|
図１６から、同一のポンプアップ圧力において、本発明の吸引ノズルは比較例の吸引ノズルよりも強い吸引圧が得られていることが分かる。
【００７４】
図１７は、必要エネルギと吸引圧との関係を表すグラフ図である。すなわち、同図の横軸は必要エネルギ（Ｗ）を表し、縦軸は吸引圧Ｐ３を表す。ここで、必要エネルギは、ポンプの流量とポンプアップ圧力との積として表される。
必要エネルギ（Ｗ）＝流量（ｍ３／秒）×ポンプアップ圧力（Ｐａ）
図１７から、本発明の吸引ノズルは比較例の吸引ノズルよりも低いエネルギで強い吸引圧が得られていることが分かる。例えば、２００００パスカルの吸引圧を得るための必要エネルギについて比較すると、比較例の吸引ノズルの場合には概ね４０ワット程度のエネルギが必要であるのに対して、本発明の吸引ノズルの場合には、概ね５ワット程度であり、約１／８程度のエネルギで同一レベルの吸引圧が得られている。
【００７５】
以上説明した結果から、本発明の吸引ノズルは、比較例の吸引ノズルと比べて極めて高い効率で吸引力を発生させることができることが分かる。
【００７６】
次に、本発明者は、本発明の吸引ノズルについて、旋回室８の形状を変えてその効果を調べた。測定の対象としたのは、図９乃至図１３に表したように旋回室８が略円筒状の吸引ノズル（円筒）と、図１８及び図１９に表した吸引ノズルである。  
すなわち、図１８に表した吸引ノズル（拡開）は、旋回室８の内径が吐水口７に向けて連続的に拡大する拡開状の形態を有する。一方、図１９に表した吸引ノズル（絞り）は、旋回室８の内径Ｄ１よりも吐水口７の開口径Ｄ２の方が小さい先絞り状の形態を有する。
略称            円筒        拡開          絞り
Ｈ１＋Ｈ２（ｍｍ）    ４０          ←            ←
Ｈ３（ｍｍ）      １            ←            ←
ｈ１（ｍｍ）      ８．５        ←            ←
Ｓ１（ｍｍ２）     ８９          ←            ←
Ｄ１（ｍｍφ）    ５６      ４５〜６０    ５６〜３０
Ｄ２（ｍｍφ）    ５６        ６０          ３０
Ｄ３（ｍｍφ）    １５          ←            ←
Ｄ４（ｍｍφ）    ６０          ←            ←
図２０は、これら３種類の吸引ノズルについて流量と吸引圧Ｐ３との関係を表すグラフ図である。  
同図から、同一の流量において、図９乃至図１３に表したような円筒状の旋回室８を有する吸引ノズルが最も吸引圧が強く、次に、図１８に表した拡開状の旋回室８を有する吸引ノズルが吸引圧が強いことが分かる。図１９に表した絞り状の旋回室８を有する吸引ノズルは、吸引圧が最も低かった。
【００７７】
３種類のうちで、絞り状のノズル（図１９）において吸引圧が最も低かったのは、絞り部において圧力損失が生じ、また、旋回流のうちで吐水口７から放出されずに吸入口３に吸引される成分が多いことに起因するものと考えられる。
【００７８】
一方、図１８に表した拡開状の旋回室の場合、圧力損失は小さく、旋回流のうちで吸入口３に吸引される成分も小さいが、旋回流が十分に発達する前に吐水口７に達する傾向があるために、円筒状の旋回室に比べて、吸引圧がやや弱くなったものと考えられる。
【００７９】
図２１は、ポンプアップ圧力と吸引圧Ｐ３との関係を表すグラフ図である。同図から、同一のポンプアップ圧力において、円筒状の旋回室８を有する吸引ノズルと、拡開状の旋回室８を有する吸引ノズルの吸引圧はほぼ同一であり、図１９に表した絞り状の旋回室８を有する吸引ノズルの吸引圧は、これらよりもやや低いことが分かる。
【００８０】
円筒状のノズルと拡開状のノズルで殆ど差がないのは、拡開状のノズルの場合には、圧力損失が最も小さいことが影響したためであると考えられる。
【００８１】
図２２は、必要エネルギと吸引圧との関係を表すグラフ図である。同図から、円筒状の旋回室８を有する吸引ノズルが効率が高く、次に、図１８に表した拡開状の旋回室８を有する吸引ノズルが効率が高いことが分かる。図１９に表した絞り状の旋回室８を有する吸引ノズルは、効率が最も低かった。例えば、２００００パスカルの吸引圧を得るためのエネルギを比較すると、円筒状のノズルの場合には約４ワット、拡開状のノズルの場合には約４．７ワット、絞り状のノズルの場合には約６．８ワットであった。
【００８２】
以上説明した結果から、本発明の吸引ノズルにおいては、旋回室８の内径が吐水口７に至るまで略同一あるいはやや拡がるようにすると効率よく吸引圧を発生できることが分かる。また、拡開状のノズルの場合、ノズルの外寸を抑えたまま、吐水口７を大きくすることができるので、コンパクトで持ちやすい小型の吸引ノズルで大きな面積を吸引マッサージすることが可能となるという利点が得られる。
【００８３】
次に、本発明者は、本発明の吸引ノズルについて、吸入口３の開口面積に関して調べた。測定した吸引ノズルの構造パラメータは、以下の通りである。
略称          Ｌ１０        Ｌ１５      Ｈ１０        Ｈ１５
Ｈ１（ｍｍ）      ２５          ←        ４５            ←
Ｈ２（ｍｍ）      １５          ←          ←            ←
Ｈ３（ｍｍ）        １          ←          ←            ←
ｈ１（ｍｍ）      ８．５        ←          ←            ←
Ｓ１（ｍｍ２）    ８９          ←          ←            ←
Ｄ１（ｍｍφ）    ４５          ←          ←            ←
Ｄ２（ｍｍφ）    ４０          ←          ←            ←
Ｄ３（ｍｍφ）    １０        １５        １０          １５
Ｄ４（ｍｍφ）    ６０          ←          ←            ←
図２３は、これら４種類の吸引ノズルについて流量と吸引圧Ｐ３との関係を表すグラフ図である。  
同図から、同一の流量において、吸入口３の開口面積が小さい（１０ｍｍφ）ノズルのほうが強い吸引圧が得られることがわかる。これは、吸入口３の開口面積が大きすぎると、入水部６から導入された水による旋回流のうちで、吸入口３に吸引される成分が増加し、損失が増加するためであると考えられる。
【００８４】
一方、吸入口３の開口面積が同じ場合には、旋回室８の底面８Ｒから吐水口７までの距離Ｈ１が小さい（２５ｍｍ）ノズルのほうが吸引圧がやや強いことが分かる。これは、ノズルの高さＨ１が小さくなると、吸入口３が吐水口７に接近するので、吸入口３の開口近傍に形成される強い負圧領域が吐水口７の近傍に影響を及ぼすためであると考えられる。ただし、高さＨ１が小さすぎると旋回流が十分に発達しない点に留意すべきである。
【００８５】
図２４は、ポンプアップ圧力と吸引圧Ｐ３との関係を表すグラフ図である。同図から、
同一のポンプアップ圧力において、吸入口３の開口面積が小さい（１０ｍｍφ）ノズルのほうが強い吸引圧が得られることがわかる。これは、吸入口３の開口面積が大きすぎると、入水部６から導入された水による旋回流のうちで、吸入口３に吸引される成分が増加し、損失が増加するためであると考えられる。
【００８６】
図２５は、必要エネルギと吸引圧との関係を表すグラフ図である。同図から、吸入口３の開口面積が小さい（１０ｍｍφ）ノズルのほうが効率が高いことがわかる。これは、吸入口３の開口面積が大きすぎると、入水部６から導入された水による旋回流のうちで、吸入口３に吸引される成分が増加し、損失が増加するためであると考えられる。また、吐水口７の近傍での吸引圧の分布がなだらかに拡がるようになることも影響していると考えられる。
【００８７】
また一方、本発明者は、これらの吸引ノズルについて、キャビテーションの発生を観察し、さらに人体実験による体感評価を実施して吸引感について調べた。
【００８８】
表１は、実験結果をまとめた一覧表である。
【表１】
2005137463.tif 000003
すなわち、表１は、ポンプ５０の電圧、周波数、圧力（Ｐ１＋Ｐ２）、吸引圧Ｐ３、流量、吸入口３における流速、キャビテーションの有無、必要エネルギ、実験者の被処理部位のうちで吸引された部分の高さ、吸引感、をそれぞれ表したものである。ここで、「吸引感」の指標は、以下の如くとした。
吸引感        内容
０        吸引を感じない
１        吸引を少し感じる
２        吸引を感じる
３        満足な吸引が得られる
４        やや痛い
５        痛い
まず、キャビテーションについて説明すると、吸入口３の開口径Ｄ３を１０ｍｍφとした場合には、吸引圧Ｐ３が２００００パスカルを超えた条件で、吸入口３においてキャビテーションが生じ、ポンプ５０が空転気味になった。また、吸入口３の開口径Ｄ３を１５ｍｍφとした場合には、吸引圧Ｐ３が２５０００パスカルを超えた条件で、吸入口３においてキャビテーションが生じ、ポンプ５０が空転気味になった。これらキャビテーションが生ずる範囲を図２５に併せて表した。吸入口３の開口径Ｄ３が小さいほうがキャビテーションが生じやすいのは、流速が速くなるからであると考えられる。  
つまり、キャビテーションを防止する観点からは、吸入口３の開口径が大きいほうが有利であるといえる。入水部６から導入される水量と、吸入口３に吸引される水流とのバランスを考慮すると、吸入口３の開口面積を入水部６の開口面積よりも大きくすることにより、吸入口３の付近におけるキャビテーションを効果的に防止できる点で有利である。
【００８９】
一方、体感評価の結果からは、吸入口３の開口径Ｄ３が１０ｍｍφの場合には、吸引圧Ｐ３が２２４４８パスカルの時に、吸引感が「３」すなわち「満足」であると得られたが、開口径Ｄ３が１５ｍｍφの場合には、吸引圧Ｐ３が１３５９８パスカルにおいて、吸引感が「３」となる。これは、吸入口３の開口径Ｄ３が大きい方が、広い面積が吸引され、吸引を体感しやすいからであると考えられる。
【００９０】
図２６は、吸引圧の分布を例示する模式図である。すなわち、同図（ａ）は吸入口３が小さい場合、同図（ｂ）は吸入口３が大きい場合に、吐水口７の近傍で得られる吸引圧の分布を表す。これらの分布図からも分かるように、吸入口３が大きいと、大面積を吸引できるため、使用者が体感する吸引感は増加するものと考えられる。
【００９１】
次に、吸入口３の周囲に筒状体を設けた吸引ノズルについて説明する。  
図２７は、吸入口３の周囲の筒状体１２を設けた吸引ノズルを表す正面図である。  
また、図２８は、図２７のＸ−Ｘ線断面図である。
【００９２】
すなわち、本具体例の吸引ノズルにおいては、吸入口３の周囲に筒状体１２が設けられている。本発明者は、このような吸引ノズルを試作し、筒状体１２の効果について調べた。試作した吸引ノズルの構造パラメータは、以下の通りである。
略称          Ｄ円筒        筒１５      筒３０
Ｈ１（ｍｍ）      ４５          ←        ４５  
Ｈ２（ｍｍ）      １５          ←          ←  
Ｈ３（ｍｍ）        １          ←          ←  
Ｈ４（ｍｍ）      なし        １５        ３０
ｈ１（ｍｍ）      ８．５        ←          ←
Ｓ１（ｍｍ２）    ８９          ←          ←
Ｄ１（ｍｍφ）    ３０          ←          ←
Ｄ２（ｍｍφ）    ３０          ←          ←
Ｄ３（ｍｍφ）    １０          ←          ←
Ｄ４（ｍｍφ）    ６０          ←          ←
Ｄ５（ｍｍφ）    なし        １５        １５
ここで、Ｈ４は、筒状体１２の高さを表し、Ｄ５は、筒状体１２の外径を表す。なお、筒状体１２の内径は、吸入口３の内径と同一とした。
【００９３】
図２９は、これら３種類の吸引ノズルについて流量と吸引圧Ｐ３との関係を表すグラフ図である。  
同図から、同一の流量において、筒状体１２を設けないノズル（Ｄ円筒）よりも、筒状体１２を設けたノズル（筒１５、筒３０）のほうが強い吸引圧が得られることがわかる。これは、筒状体１２を設けることにより、入水部６から導入された水による旋回流のうちで、吸入口３に吸引される成分が減少し、損失が低下するためであると考えられる。つまり、筒状体１２を設けることにより、吸引効率が向上することが分かる。また、筒状体１２の高さＨ４を高くしたノズルのほうが吸引圧がやや強くなっているのは、吸入口３が吐水口７に実質的に接近した効果によるものと考えられる。
【００９４】
図３０は、ポンプアップ圧力と吸引圧Ｐ３との関係を表すグラフ図である。同図からも、筒状体１２を設けないノズル（Ｄ円筒）よりも、筒状体１２を設けたノズル（筒１５、筒３０）のほうが強い吸引圧が得られることがわかる。また、同一のポンプアップ圧力において、筒状体１２の高さＨ４を高くしたノズルのほうが吸引圧がやや強くなっていることも分かる。
【００９５】
図３１は、必要エネルギと吸引圧との関係を表すグラフ図である。同図から、筒状体１２を設けないノズル（Ｄ円筒）よりも、筒状体１２を設けたノズル（筒１５、筒３０）のほうが高い効率が得られていることがわかる。また、同一のポンプアップ圧力において、筒状体１２の高さＨ４を高くしたノズルのほうが効率が高いことも分かる。
【００９６】
例えば、２００００パスカルを得るために必要なエネルギは、筒状体１２を設けない場合には、約７．９ワットであるのに対して、高さＨ４が１５ｍｍの筒状体１２を設けた場合には約５．４ワットであり、高さＨ４が３０ｍｍの筒状体１２を設けた場合には約４．６ワットであった。
【００９７】
以上説明した結果から、本発明の吸引ノズルにおいては、吸入口３の周囲を取り囲み旋回室８の中に突出した筒状体１２を設けることにより、効率がさらに向上することが分かる。従って、旋回流ＣＦの形成を阻害しないサイズの筒状体１２を設けることは、効率よく強い吸引圧を得るために有効であるといえる。
【００９８】
なお、このような筒状体１２は、図５乃至図８に例示したような「非旋回流型」の吸引ノズルにおいても、同様に設けることが可能であり、同様の作用効果が得られる。
【００９９】
図３２は、図２８に表した吸引ノズルの変型例を表す模式断面図である。同図については、図１乃至図３１に関して前述したものと同様の要素には同一の符号を付して詳細な説明は省略する。
【０１００】
本変型例においては、吐水口７に向けて内径が拡がる拡開状の筒状体１２が設けられている。このように拡開状の筒状体１２を設けることにより、より広い面積に吸引力を及ぼすことが可能となり、また、吸入口３に吸い込まれる水流の圧力損失を低減させることも可能である。すなわち、図１３に表した水流Ｂ１が滑らかに吸入口３に流入することができる。また、広い面積を吸引することにより、被処理部位２１０に与える吸引マッサージ効果を高め、使用者に与える吸引感も増加させることが可能となる。
【０１０１】
図３３は、図２８に表した吸引ノズルの第２の変型例を表す模式断面図である。すなわち、本変型例においては、図１８に表したような拡開状の導水部８を有する吸引ノズルに対して、拡開状の筒状体１２が設けられている。導水部８と筒状体１２とをそれぞれ拡開状に形成することにより、吐水口７から流出させる水流Ａ１と、外部から流入する水流Ｂ１とをそれぞれ円滑に形成することができる。その結果として、図７や図１３に関して前述した押圧効果や保護効果を、より確実に得ることができる。
【０１０２】
なお、これら拡開状の筒状体１２は、図５乃至図８に例示したような「非旋回流型」の吸引ノズルにおいても、同様に設けることが可能であり、同様の作用効果が得られる。
【０１０３】
次に、本発明における「旋回流型」の吸引ノズルの入水部６の形状について説明する。すなわち、本発明において、旋回室８の内部で吸入口３に直接吸引される成分を減らして強い吸引力を得るためには、旋回室８においてその周側壁８Ｗに沿った旋回流を効率的に発達させることが重要である。このためには、入水部６の開口を扁平状に形成する方法が有効である。
【０１０４】
図３４は、この方法により形成された吸引ノズルを表す模式図である。
【０１０５】
すなわち、同図（ａ）は、図１１に表したものと同様の断面図であり、同図（ｂ）は、そのＣ−Ｃ線断面図である。  
図３４に表したように、この吸引ノズルの場合、旋回室８に対する入水方向（矢印Ｓ）に対向する方向から見たときに、旋回流ＣＦの旋回軸Ｚに対して垂直な方向の幅Ｗ２よりも旋回軸Ｚに対して平行な方向の幅Ｗ１の方が大なる形態に形成されている。換言すると、旋回室８への入水方向（矢印Ｓ）に対して垂直且つ旋回流ＣＦの旋回軸Ｚに対して垂直な方向に沿った入水部６の幅Ｗ２よりも、旋回室８に対する入水方向に対して垂直且つ旋回流の旋回軸Ｚに対して平行な方向に沿った入水部６の幅Ｗ１の方が大となるように形成されている。このように入水部６を形成することにより、旋回室８において旋回流を効率的に発達させることができる。その結果として、旋回流ＣＦのうちで、吸入口３に直接吸引される成分を低下させ、より効率的に大きな吸引圧力が得られる。
【０１０６】
なおここで、入水部６の全体に亘って、上述の幅Ｗ１とＷ２との関係が維持される必要はなく、その一部のみにおいて、上述の幅Ｗ１とＷ２との関係が成立すればよい。例えば、旋回流への影響度を鑑みると、入水口６Ｂあるいはその近傍において上述の幅Ｗ１とＷ２との関係が成立することが望ましく、圧力損失を低減するために、入水路６Ａは導入路５から入水口６Ｂへと滑らかに連通していることが望ましい。
【０１０７】
次に、本発明において、吐水口７の近傍の少なくとも一部を透明の材料により形成した吸引ノズルについて説明する。
【０１０８】
図３５は、本具体例の吸引ノズルを表す模式図である。すなわち、本具体例においては、吐水口７の近傍の少なくとも一部を透明の材料で形成することにより、被処理部位２１０の吸引状態を目視により確実に確認できる。本発明者の試作検討の結果においても、吐水口７の近傍を透明にすると、多くの場合に、被験者は、皮膚から受ける感触よりもはるかに大きな変位が得られていることを肉眼により確認して驚くことが多かった。つまり、本発明の吸引ノズルにより吸引マッサージを実施する場合、目視により観察される実際の変位量は、皮膚から受ける感覚よりもかなり大きな場合が多い。そして、肉眼によりこの変位を確認することによって、その効果への期待感や信頼感、安心感などが得られ、マッサージ効果やその他各種の生体効果を増進させることが可能となる。
【０１０９】
また、図３５に例示した如く、透明な吐水口７の先端付近に目盛り１１を設けると、吸引による被処理部位２１０の変位量を定量的に確認できる。その結果、被処理部位の「たるみ」具合を評価したり、シェイプアップの指標としたり、吸引作用を調節するための指標とすることができる。  
もちろん、本発明においては、吐水口７の近傍のみならず、吸引ノズル１０の全体を透明な材料により形成してもよい。このようにすれば、被処理部位２１０が吐水口７よりも内側まで吸引されたような場合でも、確実に観察することができる。
【０１１０】
なお、本実施例においては、被処理部位２１０の変形状態を肉眼で確認できればよいので、吐水口７の全体が透明である必要はない。また、その材質についても、必ずしも無色透明である必要はなく、有色透明や半透明などであっても肉眼で内部を識別しうるものであればよい。
【０１１１】
また、旋回部２の一部（例えば、周側壁８Ｗや底面８Ｒ）のみが透明な材料により形成されていてもよい。これにより、吐水口から旋回室内に引き込まれた皮膚の状態も目視が可能となり、また、横方向からの目視に加えて斜め方向や正面から皮膚の変形状態を目視できるため、上述した確認効果がさらに増す。
【０１１２】
図３６は、本発明のもう一つの実施例のマッサージの側面図である。  
本実施例においては、吐水口７の周囲を取り囲み、リング状に突出したガイド部２２が設けられている。そして、このガイド部２２の少なくとも一部が透明な材料により形成されている。このように、ガイド部２２の少なくとも一部を透明の材料で形成することにより、被処理部位２１０の吸引状態を目視により確実に確認できる。従って、図３５に関して前述したような確認効果を同様に得ることができる。
【０１１３】
またさらに、このようなリング状のガイド部２２を設けることにより、吐水口７から周囲に略円錐状に吐出される旋回流吐水の飛散を抑制できる。つまり、吐水口７から広角度に飛散する吐水成分による不快感や刺激などを緩和して、使用感が向上する。  
図３７は、本発明のもう一つの実施例の吸引ノズルの断面図である。  
本実施例においては、ガイド部２２は、旋回部２に対してネジ式の機構により高さが調節可能とされている。旋回部２にはネジ溝１Ｔが設けられ、ガイド部２２には、これに係合するネジ溝２２Ｔが形成されている。これらネジ溝を係合させてガイド部２２を回転させることにより、ガイド部２２を矢印Ｈの方向に移動させることができる。このようにして、吐水口７からガイド部の先端２２Ｐまでの距離が調整可能とされている。使用者は、ガイド部２２を適宜回転させ、その位置を調節することにより好みの吸引力が得られる条件で吸引マッサージを実施することができる。
【０１１４】
またさらに、ガイド部２２を着脱自在とすれば、例えば、使用者毎に最適なサイズのガイド部２２を使い分けたり、また衛生感覚を満足させることもできる。
【０１１５】
なお、このようなネジ式の他にも、ラッチ式や、バネ式、スライド式、はめ込み式など各種の高さ調節機構を適宜設けることより、同様の作用効果を得ることができる。
【０１１６】
また、旋回部２とガイド部２２との着脱機構として、ネジ式やはめ込み式などの回転を伴う機構を採用する場合には、旋回流ＣＦの旋回方向に回した時に固定されるように、その回転方向を決定するとよい。このようにすれば、旋回流の旋回成分によって着脱機構が緩むことを防止できる。
【０１１７】
図３８は、本発明のもう一つの実施例の吸引ノズルの断面図である。
【０１１８】
すなわち、本実施例の吸引ノズルには、吐水口７の周囲から突出した第１のガイド部２２ａと、その外周を取り囲むように設けられた第２のガイド部２２ｂと、が設けられている。これらガイド部２２ａ、２２ｂの形状は、略円筒体でもよく、また楕円筒体や、多角形の筒状体、もしくは不定形の筒状体などでもよい。
【０１１９】
第１のガイド部２２ａは旋回部２に固定され、第２のガイド部２２ｂは、矢印Ｈの方向に連続的または段階的に移動し固定可能に設けられている。第２のガイド部２２ｂの位置を適宜調節することにより、使用者の好みなどに応じて最適な吸引力が得られるように、吐水口４からガイド部の先端２２Ｐまでの距離を調整して吸引マッサージを実施できる。また、第２のガイド部２２ｂを取り外した状態でも使用可能とすれば、調整範囲がさらに拡大する。
【０１２０】
ここで、第２のガイド部２２ｂは、第１のガイド部２２ａに対して、摩擦力により固定されるようにしてもよく、あるいは、ネジ式、Ｏリングなどを利用した固定方式、クランク溝などを利用した固定方式、ラッチあるいは切り欠き溝を利用した固定方式などの各種の機構により移動と固定とを可能とすることができる。そして、第２のガイド部２２ｂの固定機構として、ネジ式やはめ込み式などの回転を伴う機構を採用する場合には、前述した如く、旋回流ＣＦの旋回方向に回した時に固定されるように、ガイド部の回転方向を決定するとよい。
【０１２１】
また、図３８には、第１のガイド部２２ａの外側を取り囲むように第２のガイド部２２ｂが設けられた具体例を表したが、これとは逆に、第１のガイド部２２ａの内側に第２のガイド部２２ｂが内装されるようにしてもよい。また、３つ以上のガイド部を組み合わせることにより、さらに調整範囲を拡大することもできる。
【０１２２】
図３９は、本発明のもう一つの吸引ノズルの一部を表す模式図である。すなわち、同図は、図１１などと同様に、吸引ノズルの入水部６を表す断面図である。  
本具体例の吸引ノズルにおいては、一対の入水部６が設けられている。これら入水部６のそれぞれは、旋回室８の外側に環状に形成された導水路５から水を周側壁８Ｗの略接線方向に水を導入する。このように複数の入水部６を設けることにより、合計の入水面積が同一の場合でも、それぞれの入水部６の開口の中心位置を旋回流ＣＦの旋回軸から遠ざかる方向に寄せて配置することができる。このようにすると、効率的に旋回流ＣＦを形成することができる。また、周側壁８Ｗの周壁に複数の入水部６を均等に配置すると、旋回流ＣＦの旋回軸を旋回室８の中心軸と合致させることができる。
【０１２３】
以上、図１乃至図３９を参照しつつ、本発明の吸引ノズルについて説明した。  
次に、これら吸引ノズルを用いた吸引装置の具体例について説明する。  
すなわち、図１乃至図３９に関して前述した本発明の吸引ノズルを、ポンプなどの送水手段、吸引手段と組み合わせることにより、吸引マッサージが実施可能な吸引装置が実現する。  
まず、本発明の吸引装置の実施形態のいくつかについて説明する。  
図４０は、循環型の吸引装置の全体構成を表す概念図である。すなわち、同図（ａ）に例示した吸引装置の場合、吸引ノズル１０、送水手段５０Ａ、吸引手段５０Ｂは、浴槽１００にはられたお湯（水）１１０の中に水没した状態で使用される。吸引ノズル１０から吸引手段５０Ｂにより吸引（矢印Ｔ）された水が送水手段５０Ａに供給（矢印Ｕ）され、再び吸引ノズル１０に送出（矢印Ｓ）される。すなわち、吸引手段５０Ｂの出力と送水手段５０Ａの入力とが結合（矢印Ｕ）されたポンプ５０が設けられている。吸引ノズル１０とポンプ５０とは、直結されていてもよく、またはホースなどの可撓性の水配管により接続されていてもよい。
【０１２４】
このようにすれば、浴槽のお湯（水）１１０を循環させた吸引マッサージが可能となり、経済的である。
【０１２５】
図４０（ｂ）に表した具体例においても、循環手段としてのポンプ５０が設けられている。ただし、この具体例においては、ポンプ５０は浴槽の外に配置され、ホースなどの水配管により吸引ノズル１０と接続されている。ポンプ５０を浴槽の外に配置する場合には、耐水処理が軽度で済み、大型のポンプを用いることもできる。
【０１２６】
図４１は、循環型の第２の具体例を表す概念図である。すなわち、同図（ａ）に表した具体例の場合、送水手段５０Ａは、矢印Ｕ１により表したように、浴槽のお湯１１０を取り込んで吸引ノズル１０に送出（矢印Ｓ）する。また、吸引手段５０Ｂは、吸引ノズル１０から吸入（矢印Ｔ）したお湯を浴槽内に排出（矢印Ｕ２）する。つまり、送水手段５０Ａと吸引手段５０Ｂは、それぞれ個別に浴槽のお湯１１０の吸排出を行う。このようにしても、浴槽のお湯１１０を循環利用することができ、経済的である。
【０１２７】
さらにまた、本具体例においては、送水手段５０Ａの送水量と、吸引手段５０Ｂの吸引量と、を個別に設定することができる。つまり、吸引ノズル１０に対する送水（矢印Ｓ）量と、吸引ノズル１０からの吸引（矢印Ｔ）量と、をそれぞれ最適な値に設定して吸引マッサージができる。
【０１２８】
図４１（ｂ）に表した具体例においては、送水手段５０Ａ及び吸引手段５０Ｂを浴槽の外に配置して、同様の動作をさせることができる。
【０１２９】
図４２は、非循環型の具体例を表す概念図である。すなわち、同図（ａ）に表した具体例の場合、送水手段５０Ａは、矢印Ｕ１により表したように、外部からお湯（水）を取り込んで吸引ノズル１０に送出（矢印Ｓ）する。この場合の送水手段５０Ａは、ポンプでもよく、または、給湯器や水道の出力でもよい。一方、吸引手段５０Ｂは、吸引ノズル１０から吸入（矢印Ｔ）したお湯を浴槽外に排出（矢印Ｕ２）する。つまり、送水手段５０Ａと吸引手段５０Ｂは、それぞれ外部との間で浴槽のお湯１１０の吸排出を個別に行う。
【０１３０】
本具体例によれば、例えば、給湯器や水道などからの清浄なお湯（水）を吸引ノズルに供給（矢印Ｓ）することができる。また、例えば、有効成分を含有した薬液などを貯留したタンクから送水手段５０Ａに給水（矢印Ｕ１）することにより、吸引マッサージに薬効効果も付加することができる。また、本具体例においても、送水手段５０Ａの送水量と、吸引手段５０Ｂの吸引量と、を個別に設定することができる。つまり、吸引ノズル１０に対する送水（矢印Ｓ）量と、吸引ノズル１０からの吸引（矢印Ｔ）量と、をそれぞれ最適な値に設定して吸引マッサージができる。
【０１３１】
図４２（ｂ）に表した具体例においては、送水手段５０Ａ及び吸引手段５０Ｂを浴槽の外に配置して、同様の動作をさせることができる。
【０１３２】
図４３は、非循環型の第２の具体例を表す概念図である。本具体例においても、図４２に関して前述した具体例と同様に、送水手段５０Ａは、矢印Ｕ１により表したように、外部からお湯（水）を取り込んで吸引ノズル１０に送出（矢印Ｓ）する。この場合の送水手段５０Ａは、ポンプでもよく、または、給湯器や水道の出力でもよい。
【０１３３】
一方、吸引手段５０Ｂは、吸引ノズル１０から吸入（矢印Ｔ）したお湯を浴槽内に排出（矢印Ｕ２）する。つまり、外部から供給されたお湯（水）は、浴槽１００に排出される。このようにしても、図４２に関して前述したものと同様の効果が得られる。さらに、本具体例によれば、外部から供給されたお湯（水）を浴槽１００に溜めて入浴などに再利用できる点で経済的である。
【０１３４】
本具体例においては、吸引マッサージを実行すると、浴槽１００のお湯（水）１１０が次第に増加する。そこで例えば、お湯１１０が少ない状態においては、その状態で水没している脚や足など下半身の吸引マッサージを実施し、お湯１１０が増加し水没する部位が増えるに従って、腹や上半身の吸引マッサージを実施することができる。  
また、図４３（ｂ）に表した具体例においては、送水手段５０Ａ及び吸引手段５０Ｂを浴槽の外に配置して、同様の動作をさせることができる。
【０１３５】
図４４は、非循環型の第３の具体例を表す概念図である。本具体例においては、送水手段５０Ａは、矢印Ｕ１により表したように、浴槽内のお湯（水）１１０を取り込んで吸引ノズル１０に送出（矢印Ｓ）する。一方、吸引手段５０Ｂは、吸引ノズル１０から吸入（矢印Ｔ）したお湯を浴槽の外に排出（矢印Ｕ２）する。つまり、浴槽１００から取り込んだお湯（水）は、浴槽１００に外に排出される。
【０１３６】
本具体例においては、送水手段５０Ａの送水量と、吸引手段５０Ｂの吸引量と、を個別に設定することができる。つまり、吸引ノズル１０に対する送水（矢印Ｓ）量と、吸引ノズル１０からの吸引（矢印Ｔ）量と、をそれぞれ最適な値に設定して吸引マッサージができる。また例えば、浴槽から排出（矢印Ｕ２）したお湯（水）を図示しない清浄装置や濾過装置などを介して、再び浴槽１００に戻すことにより、浴槽のお湯（水）１１０の清浄度を維持することなども可能となる。  
また、図４４（ｂ）に表した具体例においては、送水手段５０Ａ及び吸引手段５０Ｂを浴槽の外に配置して、同様の動作をさせることができる。
【０１３７】
以上、図４０乃至図４４を参照しつつ、本発明の吸引装置の全体構成について説明した。次に、本発明の吸引装置の実施例について説明する。  
まず、本発明の吸引装置の第１の実施例として、ハンディ型の吸引装置について説明する。  図４５は、本発明の第１の実施例の吸引装置の要部構成を表す模式図である。  
すなわち、同図に表した吸引装置は、モータ４８により駆動されるポンプ５０と、このポンプ５０に接続された吸引ノズル１０と、を有する。吸引ノズル１０として、図１乃至図３９に関して前述したような本発明の吸引ノズルが設けられている。
【０１３８】
ポンプ５０は、吸引ノズル１０の吸入口３から水を吸引し、入水部６に水を送水する。モータ４８は、バッテリ４６により駆動され、スイッチ４４によりその動作を制御できる。本発明によれば、例えば、図１７などに関して前述したように、通常の旋回流のみを利用した吸引装置と比較して１／８程度のエネルギで同様な吸引圧を発生させることができる。その結果として、バッテリ駆動型の小型モータ４８により、十分な強さの吸引マッサージが可能となる。この吸引装置の外寸サイズは、例えば、１０センチメートル前後に抑えることも可能であり、大きめのひげ剃り器程度のサイズで、強い吸引力が得れる吸引装置が実現できる。また、ホースなどの水配管や、駆動電力を供給する電気配線なども不要となるので、使い勝手がよく、使用者は身体のあらゆる部位に対して自由に吸引装置をあてがい、吸引マッサージを実施できる。
【０１３９】
次に、本発明の吸引装置の第２の実施例として、椅子型の吸引装置について説明する。  図４６及び図４７は、本発明の第２の実施例の吸引装置を、斜め正面側、及び斜め後方側からそれぞれ眺めた模式図である。  
また、図４８は、この吸引装置の要部構成を表すブロック図である。
【０１４０】
すなわち、本実施例の吸引装置をその外部から眺めると、筺体７０と、その正面から伸びる可撓性ホース３０と、その先端に設けられた吸引ノズル１０と、を有する。吸引ノズル１０として、図１乃至図３９に関して前述したような本発明の吸引ノズルが設けられている。筺体７０には、操作スイッチ７２、流量調節バルブ７４、持ち穴７８、電源コード８０などが適宜設けられている。筺体７０の内部には、送水手段５０が収容されている。送水手段５０は、例えば耐水処理が施された電動式の送水ポンプを内蔵し、吸引ノズル１０の吸入口３から取り入れた水（お湯）を吸引ノズル１０の入水部６に送出する。
【０１４１】
図４９は、可撓性ホース３０の断面構造を例示する模式図である。すなわち、可撓性ホース３０としては、例えば、図４９（ａ）に表したように、第１の水路３２の周囲を取り囲むように、第２の水路３３が同軸状に形成された水配管を用いることができる。これら水路は、外筒３１の中に収容されるので、すっきりとして見栄えもよい。また、可撓性ホース３０は、図４９（ｂ）に表したように、外筒３１の中において第１の水路３２と第２の水路３３とが並列に設けられた水配管としてもよい。この場合も、これら水配管３２、３３を外筒３１の中に収容することにより、すっきりとして見栄えもよい。
【０１４２】
一方、送水ポンプは、例えば、筺体７０の外部から交流または直流の電力の供給を受けるようにしてもよく、または、筺体７０の中に充電池などの電源を内蔵して電力を供給してもよい。いずれの場合にも、浴槽内の湯に沈めて安全に使用できるよう、所定の耐水処理が適宜実施されている。
【０１４３】
吸引ノズル１０は、図４６に例示した如く、シャワーヘッドに類似した外観を有する。同図に表した吸引ノズル１０Ａは、その先端付近を「わしづかみ」にして用いるのに適した形状を有する。また吸引ノズル１０Ｂは、通常のシャワーヘッドの如くその根本部分を保持して用いるのに適した形状を有する。  
これら吸引ノズル１０（１０Ａ、１０Ｂ）は、図１乃至図３９に関して前述したように、吸入口３と入水部６とを有し、効率的に強い吸引圧を発生する。使用者は、この吸引ノズル１０により形成される強い負圧効果を利用して、被処理部位に対して効果的な吸引マッサージを実施することができる。
【０１４４】
図５０は、本実施例の吸引装置の使用状態を説明するための模式図である。すなわち、使用者２００は、湯１１０をはった浴槽１００の中に本発明の吸引装置を設置し、筺体７０の上に腰掛けた状態で吸引ノズル１０を操作することができる。この際に、図３などに関して前述したように吐水による水流Ａ１と、吸引による水流Ｂ１とにより形成される水膜により吐水口７の周囲が覆われるため、人体の被処理部位２１０の表面は常に均質な水膜に保護され、人体は吸引ノズルから過度の摩擦抵抗を受けない。このため、不快な刺激がなく、使用感に優れる。また、本実施形態の吸引ノズル１０を浴槽内の水（お湯）の中に浸した状態で用いると、浴槽１００内のお湯１１０を循環使用する点で、高い節水効果が得られる。
【０１４５】
本実施例の吸引装置によれば、小型の送水ポンプで強い吸引圧力を発生させ、人体の被処理部位を効果的に変位させることにより、快適な吸引マッサージ効果や顕著な引き締め効果が得られる。また、吸引ノズル１０が筺体７０に対して可撓性ホース３０により接続されているので、吸引ノズル１０を使用者の身体のあらゆる部分の被処理部位に対して柔軟且つ自在にあてることができる。しかも、マッサージしづらいヒップや太ももの裏側が、腰掛けている状態により浴槽底面から浮いているので、ノズルをあててマッサージするスペースが得られ、確実且つ容易にマッサージできる。
【０１４６】
また、本発明によれば、使用者２００は、コンパクトな筺体７０の上に腰掛けた状態で吸引ノズル１０を操作できる。その結果、使用者２００は、常にリラックスした状態で吸引トリートメントすることができる。またさらに、上半身、例えば脇の下から二の腕を吸引トリートメントするような場合でも、吸引ノズル１０を浴槽の湯１１０の中に浸した状態で操作することが可能である。しかも、下半身、例えば、ヒップや太ももの裏側まで、まんべんなく吸引トリートメントすることができる。従って、これらの部位につきやすい「セルライト（老廃物と脂肪の塊）」を揉みほぐすことにより、老廃物の排出を促進し、セルライトを正常な脂肪に改善することができる。その結果として、顕著な引き締め効果が得られる。
【０１４７】
次に、本発明の吸引装置の第３の実施例として、浴槽型の吸引装置について説明する。
【０１４８】
図５１は、本発明の吸引装置の第３の実施例を表す模式図である。すなわち、同図は、浴槽１００と組み合わされた吸引装置を表す。  
本実施例の場合、浴槽１００の中にノズル収容部１２０が設けられ、吸引ノズル１０は、このノズル収容部１２０に収容可能とされている。そして、ポンプ５０は、可撓性ホース３０を介して吸引ノズル１０の吸入口３から水（お湯）を取水し、可撓性ホース３０を介して吸引ノズル１０の入水部６に送出する。
【０１４９】
吸引ノズル１０がノズル収容部１２０内に収納されている収納時は、浴槽内の入浴スペースを害することがなく、入浴者は入浴スペースを十分に活用でき、快適に入浴を行える。
【０１５０】
可撓性ホース３０は、例えば蛇腹管やコイル管のような、伸縮自在な部材で形成されている。また、前述したように、２重管構造とすると、すっきりとして見栄えもよい。吸引ノズル１０がノズル収容部１２０に収納されている場合は縮んでおり、収容部１２０内に収納されている。吸引ノズル１０をノズル収容部１２０から取り出す場合には、可撓性ホース３０は延伸し、浴槽内に飛び出す形となる。
【０１５１】
本実施例においては、図５１（ａ）に表したように、ノズル収容部１２０に吸引ノズル１０を収納した状態で、使用者は、浴槽１００内に入浴し、吸引ノズル１０に被処理部位をあてがうことにより吸引押圧トリートメントを受けることができる。この時、吸引ノズル１０は、水没していることが望ましい。
【０１５２】
また一方、図５１（ｂ）に表したように、吸引ノズル１０をノズル収容部１２０から取り外して用いることができる。本実施例においては、吸引ノズル１０は、可撓性ホース３０により接続されているので、使用者は、吸引ノズル１０を自由な位置に移動させ、被処理部位にあてて使用することができる。
【０１５３】
本実施例においても、図１乃至図３９に関して前述したような吸引ノズルを用いることにより、高い効率て強い吸引力を得ることができる。その結果として、小型のポンプ５０により、高いマッサージ効果や顕著な人体引き締め効果が得られる。
【０１５４】
図５２は、本発明の吸引装置の第４の実施例を表す模式図である。同図については、図１乃至図５１に関して前述したものと同様の要素には同一の符号を付して詳細な説明は省略する。  
本実施例においては、ノズル収容部１２０が浴槽１００の周縁の、いわゆる「エプロン」の部分に設けられている。吸引押圧トリートメントを実施する場合には、吸引ノズル１０を簡単に取り外し、使用者の人体の各所に容易にあてがうことができる。ノズル収容部１２０を浴槽１００のエプロンに設置すると、吸引ノズル１０を取り外すことが極めて容易となる。また、浴槽１００内に入浴した状態で、吸引ノズル１０が邪魔になる心配もない。  
そして、本発明においても、可撓性ホース３０によりノズル収容部１２０と吸引ノズル１０とを接続することにより、吸引ノズル１０を自在に取り扱うことができる。また、本実施例においても、図１乃至図３９に関して前述したような吸引ノズルを用いることにより、高い効率で強い吸引力を得ることができる。その結果として、小型のポンプ５０により、高いマッサージ効果や顕著な人体引き締め効果が得られる。
【０１５５】
以上具体例を参照しつつ本発明の実施の形態について説明した。しかし、本発明は、これらの具体例に限定されるものではない。  
すなわち、本発明の吸引ノズル及び吸引装置を構成するいずれかの要素について当業者が設計変更を加えたものであっても、本発明の要旨を備えたものであれば、本発明の範囲に包含される。
【０１５６】
例えば、吸引ノズルの外形や、吐水口とのサイズの比率、あるいは入水部の位置関係などについては、旋回流が得られ、その結果として負圧部が形成される範囲内であれば、本発明に包含される。
【図面の簡単な説明】
【０１５７】
【図１】本発明の実施の形態にかかる吸引ノズルを表す模式断面図である。
【図２】ポンプ５０により水を循環させる使用形態を表す模式図である。
【図３】本発明の実施の形態の吸引ノズルの使用状態を表す模式図である。
【図４】放出した水が吸引ノズル１０の中でそのまま吸入されると、被処理部位２１０に対して吸引力は作用しないことを表す模式図である。
【図５】本発明の実施の形態にかかる「非旋回流型」の吸引ノズルを表す模式断面図である。
【図６】図５のＹ−Ｙ線断面図である。
【図７】本発明の具体例の吸引ノズルの動作状態を表す模式図である。
【図８】本発明の具体例の吸引ノズルの変型例を表す模式断面図である。
【図９】本発明の実施の形態にかかる「旋回流型」の吸引ノズルの正面図である。
【図１０】図９のＸ−Ｘ線断面図である。
【図１１】図１０のＹ−Ｙ線断面図である。
【図１２】本発明の具体例の吸引ノズル１０における水の流れを表す模式断面図である。
【図１３】図１２の吸引ノズル１０の使用状態を説明するための模式断面図である。
【図１４】本発明者が実施した実験の方法を表す模式図である。
【図１５】４種類の吸引ノズルについて吸引圧Ｐ３を測定した結果を表すグラフ図である。
【図１６】ポンプアップ圧力と吸引圧Ｐ３との関係を表すグラフ図である。
【図１７】必要エネルギと吸引圧との関係を表すグラフ図である。
【図１８】旋回室８の内径が吐水口７に向けて連続的に拡大する拡開状の形態を有する吸引ノズルを表す模式図である。
【図１９】旋回室８の内径Ｄ１よりも吐水口７の開口径Ｄ２の方が小さい先絞り状の形態を有する吸引ノズルを表す模式図である。
【図２０】３種類の吸引ノズルについて流量と吸引圧Ｐ３との関係を表すグラフ図である。
【図２１】ポンプアップ圧力と吸引圧Ｐ３との関係を表すグラフ図である。
【図２２】必要エネルギと吸引圧との関係を表すグラフ図である。
【図２３】４種類の吸引ノズルについて流量と吸引圧Ｐ３との関係を表すグラフ図である。
【図２４】ポンプアップ圧力と吸引圧Ｐ３との関係を表すグラフ図である。
【図２５】必要エネルギと吸引圧との関係を表すグラフ図である。
【図２６】実験結果をまとめた一覧表である。
【図２７】吸入口３の周囲の筒状体１２を設けた吸引ノズルを表す正面図である。
【図２８】図２７のＸ−Ｘ線断面図である。
【図２９】３種類の吸引ノズルについて流量と吸引圧Ｐ３との関係を表すグラフ図である。
【図３０】ポンプアップ圧力と吸引圧Ｐ３との関係を表すグラフ図である。
【図３１】必要エネルギと吸引圧との関係を表すグラフ図である。
【図３２】図２８に表した吸引ノズルの変型例を表す模式断面図である。
【図３３】図２８に表した吸引ノズルの第２の変型例を表す模式断面図である。
【図３４】本発明の吸引ノズルを表す模式図である。
【図３５】本発明の具体例の吸引ノズルを表す模式図である。
【図３６】本発明のもう一つの実施例のマッサージの側面図である。
【図３７】本発明のもう一つの実施例の吸引ノズルの断面図である。
【図３８】本発明のもう一つの実施例の吸引ノズルの断面図である。
【図３９】本発明のもう一つの吸引ノズルの一部を表す模式図である。
【図４０】循環型の吸引装置の全体構成を表す概念図である。
【図４１】循環型の第２の具体例の吸引装置の全体構成を表す概念図である。
【図４２】非循環型の吸引装置の全体構成を表す概念図である。
【図４３】非循環型の第２の具体例の吸引装置の全体構成を表す概念図である。
【図４４】非循環型の第３の具体例の吸引装置の全体構成を表す概念図である。
【図４５】本発明の第１の実施例の吸引装置の要部構成を表す模式図である。
【図４６】本発明の第２の実施例の吸引装置を、斜め正面側から眺めた模式図である。
【図４７】本発明の第２の実施例の吸引装置を、斜め後方側から眺めた模式図である。
【図４８】本発明の吸引装置の要部構成を表すブロック図である。
【図４９】可撓性ホース３０の断面構造を例示する模式図である。
【図５０】本発明の実施例の吸引装置の使用状態を説明するための模式図である。
【図５１】本発明の吸引装置の第３の実施例を表す模式図である。
【図５２】本発明の吸引装置の第４の実施例を表す模式図である。
【符号の説明】
【０１５８】
１０、１０Ａ、１０Ｂ 吸引ノズル
１ 入水吸入部
２ 旋回部
３ 吸入口
４ 接続部
５ 導入路
６、６Ａ、６Ｂ 入水部
７ 吐水口
８ 導水部（旋回室）
３０ 導水路（可撓性ホース、水配管）
３１ 外筒
３２ 第１の水路
３３ 第２の水路
５０ ポンプ
５０Ａ  送水手段
５０Ｂ  吸引手段
７０ 筺体
７２ 操作スイッチ
７６ 取水口
７８ 持ち穴
８０ 電源コード
１００ 浴槽
１１０ 湯
１２０ ノズル収容部
２００ 使用者
２１０ 被処理部位
３００ 受圧板
【図１】
2005137463.tif 000004
【図２】
2005137463.tif 000005
【図３】
2005137463.tif 000006
【図４】
2005137463.tif 000007
【図５】
2005137463.tif 000008
【図６】
2005137463.tif 000009
【図７】
2005137463.tif 000010
【図８】
2005137463.tif 000011
【図９】
2005137463.tif 000012
【図１０】
2005137463.tif 000013
【図１１】
2005137463.tif 000014
【図１２】
2005137463.tif 000015
【図１３】
2005137463.tif 000016
【図１４】
2005137463.tif 000017
【図１５】
2005137463.tif 000018
【図１６】
2005137463.tif 000019
【図１７】
2005137463.tif 000020
【図１８】
2005137463.tif 000021
【図１９】
2005137463.tif 000022
【図２０】
2005137463.tif 000023
【図２１】
2005137463.tif 000024
【図２２】
2005137463.tif 000025
【図２３】
2005137463.tif 000026
【図２４】
2005137463.tif 000027
【図２５】
2005137463.tif 000028
【図２６】
2005137463.tif 000029
【図２７】
2005137463.tif 000030
【図２８】
2005137463.tif 000031
【図２９】
2005137463.tif 000032
【図３０】
2005137463.tif 000033
【図３１】
2005137463.tif 000034
【図３２】
2005137463.tif 000035
【図３３】
2005137463.tif 000036
【図３４】
2005137463.tif 000037
【図３５】
2005137463.tif 000038
【図３６】
2005137463.tif 000039
【図３７】
2005137463.tif 000040
【図３８】
2005137463.tif 000041
【図３９】
2005137463.tif 000042
【図４０】
2005137463.tif 000043
【図４１】
2005137463.tif 000044
【図４２】
2005137463.tif 000045
【図４３】
2005137463.tif 000046
【図４４】
2005137463.tif 000047
【図４５】
2005137463.tif 000048
【図４６】
2005137463.tif 000049
【図４７】
2005137463.tif 000050
【図４８】
2005137463.tif 000051
【図４９】
2005137463.tif 000052
【図５０】
2005137463.tif 000053
【図５１】
2005137463.tif 000054
【図５２】
2005137463.tif 000055